(57)【要約】      （修正有）【課題】ラジエータの内部に封入される作動液の熱伝導経路が少なく、放熱効果を有効に向上できない欠点を解決できる積上げ式ラジエータを提供する。【解決手段】複数の放熱板４を積上げて構成され、放熱板４は、互いに積上げ可能なカバー４１を二つ含み、カバー４１は少なくとも一つの収容空間４１０を有し、収容空間４１０の外壁面に連接部４１１が少なくとも一つ設けられ、連接部４１１には、収容空間４１０まで貫通する貫通孔４１２が設けられ、収容空間４１０に凸部４１３が複数設けられる。【選択図】図５
0003165314.tif 000002
【実用新案登録請求の範囲】
【請求項１】
複数の放熱板（４）を積上げて構成され、前記放熱板（４）は互いに積上げ可能なカバー（４１）を二つ含み、前記カバー（４１）は少なくとも一つの収容空間（４１０）を有し、前記収容空間（４１０）の外壁面に連接部（４１１）が少なくとも一つ設けられ、前記連接部（４１１）には、前記収容空間（４１０）まで貫通する貫通孔（４１２）が設けられ、前記収容空間（４１０）に凸部（４１３）が複数設けられることを特徴とする積上げ式ラジエータ。
【請求項２】
更に、少なくとも一つの仕切片（４３）を含み、前記仕切片（４３）は前記放熱板（４）の前記貫通孔（４１２）に配されることを特徴とする、請求項１に記載の積上げ式ラジエータ。
【請求項３】
更に、少なくとも一つのスリーブ（４４）を含み、前記スリーブ（４４）は、前記放熱板（４）の前記貫通孔（４１２）に挿通されて、前記放熱板（４）の前記貫通孔（４１２）に溶接されることを特徴とする、請求項１に記載の積上げ式ラジエータ。
【請求項４】
更に、溶接によって固定される台座（５）を含むことを特徴とする、請求項１に記載の積上げ式ラジエータ。
【請求項５】
更に、前記各放熱板（４）の間に設けられる放熱フィン（７）を含むことを特徴とする、請求項１に記載の積上げ式ラジエータ。
【請求項６】
複数の放熱板（４ａ）を積上げて構成され、前記放熱板（４ａ）は、二つのカバー（４１ａ）と、少なくとも一つの毛細管構造（４２ａ）と、を含み、前記二つのカバー（４１ａ）は互いに対応する収容空間（４１０ａ）を少なくとも一つ有し、前記収容空間（４１０ａ）の外壁面に連接部（４１１ａ）が少なくとも一つ設けられ、前記連接部（４１１ａ）には、前記収容空間（４１０ａ）まで貫通する貫通孔（４１２ａ）が設けられ、前記二つのカバー（４１ａ）を積上げるとチャンバーが形成され、前記毛細管構造（４２ａ）が前記チャンバーに収容され、前記毛細管構造（４２ａ）の上下面がそれぞれ前記二つのカバー（４１ａ）の前記収容空間（４１０ａ）の裏壁面に溶接されることを特徴とする積上げ式ラジエータ。
【請求項７】
更に、少なくとも一つの仕切片（４３）を含み、前記仕切片（４３）は前記放熱板（４ａ）の前記貫通孔（４１２ａ）に配されることを特徴とする、請求項６に記載の積上げ式ラジエータ。
【請求項８】
更に、少なくとも一つのスリーブ（４４）を含み、前記スリーブ（４４）は、前記放熱板（４ａ）の前記貫通孔（４１２ａ）に挿通されて、前記放熱板（４ａ）の前記貫通孔（４１２ａ）に溶接されることを特徴とする、請求項６に記載の積上げ式ラジエータ。
【請求項９】
更に、溶接によって固定される台座（５）を含むことを特徴とする、請求項６に記載の積上げ式ラジエータ。
【請求項１０】
更に、前記各放熱板（４ａ）の間に設けられる放熱フィン（７）を含むことを特徴とする、請求項６に記載の積上げ式ラジエータ。
【考案の詳細な説明】
【技術分野】
【０００１】
本考案は、積上げ式ラジエータに関するものである。
【背景技術】
【０００２】
現在、電子製品は、演算速度および周波数が引き続き増加し、体積が小型化しているため、演算中に発生する熱が増加している。これにより、有効に放熱可能な放熱装置によって電子製品からの熱を放熱しないと、電子製品は安定に稼動できないことになる。
【０００３】
従来の放熱装置は、金属製の熱伝導ベースの上に複数の放熱フィンを設けて、空気の対流によって熱を放熱するが、放熱効果は良くない。この問題を解決するために、ヒートチューブなどの放熱構造が開発されている。これらの放熱構造は、液体の相変化を利用するため、放熱効果は良くなる。
【０００４】
上記の放熱装置の放熱効果を更に向上するために、本願の出願人は、ドイツ実用新案第２０２００９０００５４０．２号において「組合せ式ラジエータ」を提案した（特許文献１参照）。この組合せ式ラジエータ１は、図１及び図２に示すように、アルミ製の台座部１０と、台座部１０の上で設けられる複数の放熱フィン１１とを含む。台座部１０は、プレス加工によって成形された、上蓋１０１と、下蓋１０２とから構成される。台座部１０の内部には、毛細管装置１２用の山型翼が配され、この山型翼と複数の放熱フィン１１とが組み合わされて溶接されて、一体とされている。台座部１０内のエアを抜くと真空な密封式通路になり、密封式チャンバー１０３に放熱用作動液を注入することにより、放熱効果が更に良くなる。
【０００５】
また、本願の出願人は、ドイツ実用新案第２０２０１０００４３５０．６号において「ラジエータ」を提案した（特許文献２参照）。これは、図３及び図４に示すように、放熱台座２を含み、放熱台座２は、上蓋２１と、下蓋２２と、を組み合わせて構成される。上蓋２１は、上凸部２１０を有し、上凸部２１０内に収容空間２１１が形成され、毛細管構造２３が収容空間２１１に収容される。下蓋２２は、プレート状を呈し、上蓋２１に合せられる。上蓋２１の収容空間２１１の裏壁面と、下蓋２２の上面とに溝構造２４がそれぞれ設けられる。毛細管構造２３の上下面は、上蓋２１の収容空間２１１の裏壁面と、下蓋２２の上面とにそれぞれ溶接される。放熱台座２に組み合わせた後、これらを溶接して一体にして、作動液をその内部に注入して密封する。また、放熱台座２がＵ字形またはＬ字形などに成形される場合には、その立設部に放熱フィン２５を嵌設することができ、そうすると、熱伝導および対流により放熱効果が向上する。
【先行技術文献】
【特許文献】
【０００６】
【特許文献１】ドイツ実用新案第２０２００９０００５４０号公報
【特許文献２】ドイツ実用新案第２０２０１０００４３５０号公報
【考案の概要】
【考案が解決しようとする課題】
【０００７】
本考案の主な目的は、ラジエータの内部に封入される作動液の熱伝導経路が少なく、放熱効果を有効に向上できない欠点を解決できる積上げ式ラジエータを提供することにある。
【課題を解決するための手段】
【０００８】
本考案の積上げ式ラジエータは、複数の放熱板を積上げて構成され、前記放熱板は、互いに積上げ可能なカバーを二つ含み、前記カバーは少なくとも一つの収容空間を有し、前記収容空間の外壁面に連接部が少なくとも一つ設けられ、前記連接部には、前記収容空間まで貫通する貫通孔が設けられ、前記収容空間に凸部が複数設けられることを特徴とする。
【０００９】
本考案の積上げ式ラジエータは、更に、少なくとも一つの仕切片を含み、前記仕切片は前記放熱板の前記貫通孔に配されることを特徴とする。
【００１０】
本考案の積上げ式ラジエータは、更に、少なくとも一つのスリーブを含み、前記スリーブは、前記放熱板の前記貫通孔に挿通されて、前記放熱板の前記貫通孔に溶接されることを特徴とする。
【００１１】
本考案の積上げ式ラジエータは、更に、溶接によって固定される台座を含むことを特徴とする。
【００１２】
本考案の積上げ式ラジエータは、更に、前記各放熱板の間に設けられる放熱フィンを含むことを特徴とする。
【００１３】
本考案の積上げ式ラジエータは、複数の放熱板を積上げて構成され、前記放熱板は、二つのカバーと、少なくとも一つの毛細管構造と、を含み、前記二つのカバーは互いに対応する収容空間を少なくとも一つ有し、前記収容空間の外壁面に連接部が少なくとも一つ設けられ、前記連接部には、前記収容空間まで貫通する貫通孔が設けられ、前記二つのカバーを積上げるとチャンバーが形成され、前記毛細管構造が前記チャンバーに収容され、前記毛細管構造の上下面がそれぞれ前記二つのカバーの前記収容空間の裏壁面に溶接されることを特徴とする。
【００１４】
本考案の積上げ式ラジエータは、更に、少なくとも一つの仕切片を含み、前記仕切片は前記放熱板の前記貫通孔に配されることを特徴とする。
【００１５】
本考案の積上げ式ラジエータは、更に、少なくとも一つのスリーブを含み、前記スリーブは、前記放熱板の前記貫通孔に挿通されて、前記放熱板の前記貫通孔に溶接されることを特徴とする。
【００１６】
本考案の積上げ式ラジエータは、更に、溶接によって固定される台座を含むことを特徴とする。
【００１７】
本考案の積上げ式ラジエータは、更に、前記各放熱板の間に設けられる放熱フィンを含むことを特徴とする。
【考案の効果】
【００１８】
本考案の積上げ式ラジエータによれば、次のような効果がある。
（１）放熱板の連接部が溶接によって直列接続され、放熱板のカバーには、プレス加工によって複数の凸部が形成され、これにより、作動液の熱伝導経路が延長し、放熱効果が向上する。
（２）ラジエータは放熱板を積上げて構成されるため、拡充性が良く、必要によって放熱板の仕様または数量を変更することができ、カスタマイズすることができる。
【図面の簡単な説明】
【００１９】
【図１】従来の「組合せ式ラジエータ」の分解斜視図である。
【図２】図１の組合せ済み状態の断面図である。
【図３】従来の「ラジエータ」の分解斜視図である。
【図４】図３の斜視図である。
【図５】本考案の放熱板の分解斜視図である。
【図６】本考案の放熱板の断面図である。
【図７】本考案の斜視図である。
【図８】本考案の第１実施例の熱伝導の過程を示す模式図である。
【図９】本考案の第２実施例の熱伝導の過程を示す模式図である。
【図１０】本考案の第３実施例の分解斜視図である。
【図１１】本考案の第４実施例の放熱板の分解斜視図である。
【図１２】本考案の第４実施例の放熱板の組合せ済み状態の斜視図である。
【図１３】図１２のＡ−Ａ線の断面図である。
【図１４】本考案の第４実施例の斜視図である。
【図１５】図１４の熱伝導の回路を説明する模式図である。
【図１６】本考案の第５実施例の正面図である。
【図１７】本考案の第５実施例の側面図である。
【考案を実施するための形態】
【００２０】
以下、本考案の実施の形態を図面に基づいて説明する。
まず、図５乃至図７を参照する。本考案の積上げ式ラジエータは、複数の放熱板４を積上げて構成される。放熱板４は、銅またはアルミなどの高熱伝導係数を有する材料を採用する。放熱板４は、互いに積上げ可能なカバー４１を二つ含み、少なくとも一つの収容空間４１０を有し、収容空間４１０の外壁面に連接部４１１が少なくとも一つ設けられる。しかし、熱循環効果を向上するために、図５に示すように、連接部４１１の数量は２個以上であることが好ましい。連接部４１１には、収容空間４１０まで貫通する貫通孔４１２が設けられ、収容空間４１０には、プレス加工によって成形される凸部４１３が複数設けられる。二つのカバー４１を合せると、収容空間４１０がチャンバー４１４となる。
【００２１】
本考案のラジエータ３は、更に、少なくとも一つの仕切片４３を含み、仕切片４３が放熱板４の貫通孔４１２に配され、これにより、例えば水または冷媒などの放熱用の作動液をチャンバー４１４に注入することができる。
【００２２】
図８に示したのは本考案の第１実施例である。図８に示すように、ラジエータ３の底部に台座５が設けられる。台座５は、銅またはアルミなどの高熱伝導係数を有する材料を採用する。台座５とラジエータ３とは溶接によって一体になっている。ラジエータ３の複数の放熱板４の内部のエアを抜いて作動液を注入して封止すると、ラジエータ３の内部に液密回路が形成される。ラジエータ３は発熱子６に貼り付けられる。発熱子６から熱が発生すると、液密回路内の作動液が相変化し、これにより、熱伝導効果が有効に向上する。また、図９に示したのは本考案の第２実施例である。図９に示すように、本実施例のラジエータ３は、液密回路の設計が上記の実施例と相違し、更に、少なくとも一つのスリーブ４４を含む。スリーブ４４は、放熱板４の貫通孔４１２を挿通され、放熱板４の貫通孔４１２に溶接される。これにより、ラジエータ３の内部にある作動液が時計回りに流動し、放熱効果が向上する。
【００２３】
図１０に示したのは本考案の第３実施例である。放熱板４ａは、図１０に示すように、二つのカバー４１ａと、少なくとも一つの毛細管構造４２ａとを含む。二つのカバー４１ａは、互いに対応する収容空間４１０ａを少なくとも一つ有する。収容空間４１０ａの外壁面には、連接部４１１ａが少なくとも一つ設けられ、連接部４１１ａには、収容空間４１０ａまで貫通する貫通孔４１２ａが設けられる。二つのカバー４１ａを積上げるとチャンバー（図示せず）が構成される。毛細管構造４２ａが前記チャンバーに収容され、毛細管構造４２ａの上下面がそれぞれ二つのカバー４１ａの収容空間４１０ａの裏壁面に溶接される。
【００２４】
図１１乃至図１４に示したのは本考案の第４実施例である。本実施例のラジエータ３ｂは、図１１乃至図１４に示すように、四つの放熱板４ｂを積上げて構成される。放熱板４ｂは、二つのカバー４１ｂを含み、更に、仕切片４３ｂを含む。カバー４１ｂは二つの収容空間４１０ｂを有し、収容空間４１０ｂの外壁面に二つの連接部４１１ｂがそれぞれ設けられる。連接部４１１ｂには、収容空間４１０ｂまで貫通する貫通孔４１２ｂが設けられる。収容空間４１０ｂには、プレス加工によって凸部４１３ｂが複数設けられる。二つの収容空間４１０ｂの間には、更に、通路４１５ｂが設けられる。二つのカバー４１ｂを合せると、その内部にチャンバー（図示せず）が形成される。
【００２５】
ラジエータ３ｂは、四つの放熱板４ｂを積上げて構成される。連接部４１１ｂに仕切片４３ｂを設け、溶接してその内部のエアを抜いて作動液を注入して封止すると、図１５に示すように、ラジエータ３ｂの内部に液密回路が形成される。液密回路内の作動液が相変化することにより、熱がすばやく放熱される。
【００２６】
図１６及び図１７に示したのは本考案の第５実施例である。本実施例は、第４実施例の改良であり、その特徴は、複数の放熱板４ｂに仕切片４３ｂを設けることによって回路を形成した後、複数の放熱板４ｂを積上げてラジエータ３ｂを構成し、上部と底部との放熱板４ｂのカバー４１ｂの代わりにプレート状を呈するカバー４１ｃを採用し、これにより、ラジエータ３ｂと台座５とを緊密に連接して一体としたことである。本実施例は、更に、各放熱板４ｂの間に設けられる放熱フィン７を含み、放熱フィン７が放熱板４ｂに溶接されて一体になり、これにより、放熱効果が向上する。
【産業上の利用可能性】
【００２７】
本考案は、ラジエータに適用することができる。
【符号の説明】
【００２８】
１：組合せ式ラジエータ
２：放熱台座
３：ラジエータ
３ｂ：ラジエータ
４：放熱板
４ａ：放熱板
４ｂ：放熱板
５：台座
７：放熱フィン
１０：台座部
１１：放熱フィン
１２：毛細管装置
２１：上蓋
２２：下蓋
２３：毛細管構造
２４：溝構造
２５：放熱フィン
４１：カバー
４１ａ：カバー
４１ｂ：カバー
４２ａ：毛細管構造
４３：仕切片
４３ｂ：仕切片
４４：スリーブ
１０１：上蓋
１０２：下蓋
１０３：密封式チャンバー
２１０：上凸部
２１１：収容空間
４１０：収容空間
４１０ａ：収容空間
４１０ｂ：収容空間
４１１：連接部
４１１ａ：連接部
４１１ｂ：連接部
４１２：貫通孔
４１２ａ：貫通孔
４１２ｂ：貫通孔
４１３：凸部
４１３ｂ：凸部
４１４：チャンバー
４１５ｂ：通路
【図１】
0003165314.tif 000003
【図２】
0003165314.tif 000004
【図３】
0003165314.tif 000005
【図４】
0003165314.tif 000006
【図５】
0003165314.tif 000007
【図６】
0003165314.tif 000008
【図７】
0003165314.tif 000009
【図８】
0003165314.tif 000010
【図９】
0003165314.tif 000011
【図１０】
0003165314.tif 000012
【図１１】
0003165314.tif 000013
【図１２】
0003165314.tif 000014
【図１３】
0003165314.tif 000015
【図１４】
0003165314.tif 000016
【図１５】
0003165314.tif 000017
【図１６】
0003165314.tif 000018
【図１７】
0003165314.tif 000019